(57)【特許請求の範囲】
【請求項１】
油圧テンショナ(０)のテンショナボディ(20)に、無端伝動帯(13)のバタツキ防止のために進退するプランジャ(23)が摺動可能に嵌装されて、前記テンショナボディ(20)と前記プランジャ(23)とで高圧油室(31)が構成され、前記テンショナボディ(20)の内周面と前記プランジャ(23)の外周面との間に、前記高圧油室(31)内のオイルを外部へ流出させる隙間部(40)が設けられた内燃機関の油圧テンショナ装置において、
前記隙間部(40)は、オイル流出方向に関して上流側隙間(47)と下流側隙間(48)とを備え、前記上流側隙間(47)の断面積より、オイルが流出する前記下流側隙間(48)の断面積が大きく、
前記テンショナボディ(20)の前記下流側隙間(48)を形成するプランジャ収納孔部(42）に、プランジャ摺動方向のオイル排出溝(51)が形成され、その上流端が前記上流側隙間(47)に連通し、
前記オイル排出溝(51)は、前記無端伝動帯(13)の移動方向と前記プランジャ(23)の進退方向軸線とを含む平面(C-C)を避けた位置に配置される
ことを特徴とする油圧テンショナ装置。
【請求項２】
前記プランジャ(23)は、上流側のプランジャ大径部(44)と、下流側のプランジャ小径部(45)とで形成されるプランジャ段差部(46)を有し、
前記テンショナボディ(20)は、前記プランジャ(23)の上流側のプランジャ大径部(44)と対応するプランジャ収納孔大径部(41)と、前記前記プランジャ(23)の下流側プランジャ小径部(45)に対応するプランジャ収納孔小径部(42)とで形成されるプランジャ収納孔段差部(43)を有し、
前記プランジャ(23)のプランジャ段差部(46)は、前記テンショナボディ(20)のプランジャ収納孔段差部(43)に係合可能とされて、前記プランジャ(23)の抜け止め構造をなし、
前記オイル排出溝(51)は、前記プランジャ収納孔小径部(42)に形成され、オイル排出溝(51)の上流端が前記プランジャ収納孔大径部(41)に至るよう形成されることを特徴とする請求項１に記載の油圧テンショナ装置。
【請求項３】
前記オイル排出溝(51)は、前記プランジャ収納孔小径部(42)に、その下流端側から前記プランジャ収納孔大径部(41)に向けて機械加工により形成された溝であることを特徴とする請求項２に記載の油圧テンショナ装置。
【請求項４】
油圧テンショナ(０)を車両に取付けた状態において、前記オイル排出溝(51)のオイル排出方向が水平より下向きとなるよう配置されることを特徴とする請求項１乃至３の何れかに記載の油圧テンショナ装置。
【請求項５】
前記オイル排出溝(51)は、テンショナボディ(20)のプランジャ収納孔(20ａ)の中心線の径方向に対向する位置に対で設けられることを特徴とする請求項１乃至４の何れかに記載の油圧テンショナ装置。
【発明の詳細な説明】
【技術分野】
【０００１】
本発明は、内燃機関の動弁機構に用いられるチェーンやベルト等からなる無端伝動部材に張力を付与する油圧テンショナ装置に関する。
【背景技術】
【０００２】
自動二輪車等に搭載される内燃機関は、動弁機構のカム駆動用に無端伝動部材を有している。運転時に無端伝動部材のバタツキを防止するために、この無端伝動部材を押圧する油圧テンショナを備えている。従来例として、可撓性材料で作られたプランジャと、その内側に嵌装された中空スリーブとの間に生じる隙間によって、高圧となる内部の圧力を適正に保ち、漏出したオイルは、ハウジングに設けられた排出流路から排出するようになっている例がある（例えば、特許文献１参照。）。しかし、プランジャ外面とチャンバ壁面（プランジャ収納孔）との間の隙間に入り込んだオイルは、速やかに外部へ流出することができないので、プランジャの前進時の動きが抑制され、テンショナスリッパの動きに対する追従性が低下していた。しかしこのようなプランジャ外面とプランジャ収納孔との間の接触領域全体にわたって隙間の精度管理をしようとすると、精度管理領域が広いためコスト上昇となっていた。
【先行技術文献】
【特許文献】
【０００３】
【特許文献１】特許第３５９４４２０号公報
【発明の概要】
【発明が解決しようとする課題】
【０００４】
本発明は、テンショナボディの内周面と前記プランジャの外周面との間の隙間におけるオイルの排出性を高めることにより、オイル抵抗によるプランジャの摺動抵抗を低減して、プランジャの動きを円滑にする。
【課題を解決するための手段】
【０００５】
本発明は上記課題を解決したものであって、請求項１に記載の発明は、
油圧テンショナ(０)のテンショナボディ(20)に、無端伝動帯(13)のバタツキ防止のために進退するプランジャ(23)が摺動可能に嵌装されて、前記テンショナボディ(20)と前記プランジャ(23)とで高圧油室(31)が構成され、前記テンショナボディ(20)の内周面と前記プランジャ(23)の外周面との間に、前記高圧油室(31)内のオイルを外部へ流出させる隙間部(40)が設けられた内燃機関の油圧テンショナ装置において、
前記隙間部(40)は、オイル流出方向に関して上流側隙間(47)と下流側隙間(48)とを備え、前記上流側隙間(47)の断面積より、オイルが流出する前記下流側隙間(48)の断面積が大きく、前記テンショナボディ(20)の前記下流側隙間(48)を形成するプランジャ収納孔部(42）に、プランジャ摺動方向のオイル排出溝(51)が形成され、その上流端が前記上流側隙間(47)に連通し、前記オイル排出溝(51)は、前記無端伝動帯(13)の移動方向と前記プランジャ(23)の進退方向軸線とを含む平面(C-C)を避けた位置に配置される
ことを特徴とする油圧テンショナ装置である。
【０００６】
請求項２に記載の発明は、請求項１に記載の油圧テンショナ装置において、前記プランジャ(23)は、上流側のプランジャ大径部(44)と、下流側のプランジャ小径部(45)とで形成されるプランジャ段差部(46)を有し、前記テンショナボディ(20)は、前記プランジャ(23)の上流側のプランジャ大径部(44)と対応するプランジャ収納孔大径部(41)と、前記前記プランジャ(23)の下流側プランジャ小径部(45)に対応するプランジャ収納孔小径部(42)とで形成されるプランジャ収納孔段差部(43)を有し、前記プランジャ(23)のプランジャ段差部(46)は、前記テンショナボディ(20)のプランジャ収納孔段差部(43)に係合可能とされて、前記プランジャ(23)の抜け止め構造をなし、前記オイル排出溝(51)は、前記プランジャ収納孔小径部(42)に形成され、オイル排出溝(51)の上流端が前記プランジャ収納孔大径部(41)に至るよう形成されることを特徴とする。
【０００７】
請求項３に記載の発明は、請求項２に記載の油圧テンショナ装置において、前記オイル排出溝(51)は、前記プランジャ収納孔小径部(42)に、その下流端側から前記プランジャ収納孔大径部(41)に向けて機械加工により形成された溝であることを特徴とする。
【０００８】
請求項４に記載の発明は、請求項１乃至３の何れかに記載の油圧テンショナ装置において、油圧テンショナ(０)を車両に取付けた状態において、前記オイル排出溝(51)のオイル排出方向が水平より下向きとなるよう配置されることを特徴とする。
【０００９】
請求項５に記載の発明は、請求項１乃至４の何れかに記載の油圧テンショナ装置において、前記オイル排出溝(51)は、テンショナボディ(20)のプランジャ収納孔(20ａ)の中心線の径方向に対向する位置に対で設けられることを特徴とする。
【発明の効果】
【００１３】
請求項１に記載の発明によれば、油圧調整として設定される上流側隙間(47)の断面積を小さくし、下流側隙間(48)の 断面積は上流側隙間(47) 断面積より大きくすることにより、油圧調整に作用しない下流側では、オイル排出性を高めることにより、オイル抵抗によるプランジャ(23)の摺動抵抗を低減して、プランジャ(23)の動きを円滑にすることが可能となる。
また、テンショナボディ(20)の下流側隙間(48)を形成するプランジャ収納孔部(42）にプランジャ摺動方向のオイル排出溝(51)を形成することにより、下流側でのオイルの排出性を高めることができる。
そして、オイル排出溝(51)を、無端伝動帯(13)の移動方向を避けて配置することにより、テンショナボディ(20)が無端伝動帯(13)の移動に伴って振動する際に、オイル排出溝(51)の縁によってプランジャ小径部(45)が傷付くことが防がれる。
【００１４】
請求項２に記載の発明によれば、プランジャ大径部(44)のプランジャ段差部(46)が係合するプランジャ収納孔小径部(42)にオイル排出溝(51)をプランジャ収納孔大径部(41)に至るよう形成したので、プランジャ収納孔小径部(42)におけるオイル排出性を向上することができる。
【００１５】
請求項３に記載の発明によれば、オイル排出溝(51)を下流端側からプランジャ収納孔小径部(42)に、先端がプランジャ収納孔大径部(41)に至るよう機械加工により形成するので、容易にオイル排出溝(51)を形成することが出来る。
【００１６】
請求項４に記載の発明によれば、油圧テンショナ(０)を、車両に取付けた状態において、オイル排出溝(51)のオイル排出方向が水平より下向きとなることで、オイルの自重による排出もあるので、オイルを良好に排出することが出来る。
【００１７】
請求項５に記載の発明によれば、オイル排出溝(51)を近接した位置ではなく、対向配置に離すことによって、テンショナボディ(20)の強度低下を抑えながら、オイルを良好に排出することができる。
【図面の簡単な説明】
【００２１】
【図１】油圧テンショナ装置を具備した内燃機関が自動二輪車の車体フレームに取付けられた状態を示した要部右側図である。
【図２】テンショナ装置の後面図、即ち図１のＩＩ矢視図である。
【図３】テンショナボディを後方から見た図である。
【図４】図２のＩＶ−ＩＶ断面図であり、上記テンショナ装置の縦断面図である。
【図５】プランジャ収納孔に挿入されるプランジャ、バルブホルダ、チェック弁、リリーフ弁、等の分解図である。
【図６】圧力保持弁及びエア抜き弁の分解状態を示す図である。
【図７】図２のＶＩＩ−ＶＩＩ断面図である。
【図８】オイル貯溜室内の圧力が上昇して、プランジャが前方へ突出した状態を示す図である。
【図９】図４の隙間部（プランジャ収納孔とプランジャの間）の部分拡大図である。
【図１０】テンショナボディの前面図である。
【図１１】図１０のＸＩ−ＸＩ断面図である。
【発明を実施するための形態】
【００２２】
図１は、油圧テンショナ０を具備した内燃機関３が自動二輪車の車体フレーム１に取付けられた状態を示した要部右側図である。本図では、右方が車両の前方である。図１において、油圧テンショナ０を具備した４ストロークサイクルＤＯＨＣ内燃機関３は、自動二輪車に搭載され、内燃機関３は、内燃機関３からそれぞれ突出した２個のボス８を介して、自動二輪車の車体フレーム１の前部に設けられたハンガー２と、車体フレーム１の後部と、に取付けられている。
【００２３】
内燃機関３では、クランクケース４の上にシリンダブロック５、シリンダヘッド６およびヘッドカバー７が順次上方へ積重ねられて、ボルト等の結合手段によって一体に結合されている。内燃機関３のクランクケース４とシリンダブロック５間に挟まれた位置で、クランク軸９が回転可能に枢支されている。１対のカム軸11がシリンダヘッド６およびヘッドカバー７内でシリンダヘッド６に回転可能に枢支されている。クランク軸９と一体の駆動スプロケット10と、上記１対のカム軸11と一体の従動スプロケット12とに、無端タイミングチェン13が架渡されている。シリンダブロック５のシリンダ孔に摺動可能に嵌装されているピストンの上下動によって、クランク軸９が回転駆動され、クランク軸９の回転トルクが、駆動スプロケット10、無端タイミングチェン13および従動スプロケット12を介して、上記１対のカム軸11に伝達されて、給排気弁が開閉可能に駆動される。
【００２４】
上記４ストロークサイクル内燃機関３は、クランク軸９が２回転する毎に燃焼室内の燃料が燃焼し、その燃焼ガスの圧力でピストンがクランク軸９に向って間欠的に押され、また自動二輪車が走行する路面の凹凸によって走行抵抗が変化する結果、無端タイミングチェン13の緊張状態が変動して、無端タイミングチェン13が前後方向にバタツキ易い。これを防止するために、図１で右方（車両の前方）に位置する緊張側の無端タイミングチェン13に接してチェンガイド14が配設されるとともに、図１で左方（車両の後方）に位置する弛緩側の無端タイミングチェン13に接してテンショナスリッパ15が配設され、該テンショナスリッパ15の後方でこれに隣接して油圧テンショナ０がシリンダヘッド６に組付けられている。この油圧テンショナ０の特性により、弛緩側の無端タイミングチェン13のバタツキを有効に抑制することができるようになっている。
【００２５】
図２はテンショナ０の後面図、即ち図１のＩＩ矢視図である。油圧テンショナ０の外殻は、テンショナボディ20とキャップ21（図２、図４）とよりなっている。キャップ21には、左右１対のボルト挿通孔21ａが設けてある。
【００２６】
図３は上記キャップ21を取り除き、テンショナボディ20を後方から見た図である。キャップ21に設けられた左右１対のボルト挿通孔21ａ（図２）に嵌挿された図示されないボルトがテンショナボディ20のボルト挿通孔20ｂ（図３）を貫通してシリンダヘッド６の後部のテンショナ取付け部６ａ（図１）に螺着され、油圧テンショナ０はシリンダヘッド６に一体に装着される。図３において、テンショナボディ20の中央には後述のプランジャ23やバルブホルダ22（図４）を挿通するプランジャ収納孔20ａ（図３）が貫通している。
【００２７】
図４は図２のＩＶ−ＩＶ断面図であり、上記テンショナ０の縦断面図である。矢印Ｆｒ，Ｒｅは、テンショナ０における各部材の位置を示すために、テンショナ自体の前後方向として定義される方向を示すものであり、Ｆｒは前方、Ｒｅは後方を示している。テンショナ０の殻体は、テンショナボディ20とキャップ21とから成っている。上記キャップを取り外した状態で、テンショナボディ20の中心部に設けられたプランジャ収納孔20ａに、テンショナボディ20の後端側から、プランジャ23とコイルスプリング24とバルブホルダ22が順次装着されている。プランジャ23はプランジャ収納孔20ａ内で前後に摺動可能になっている。コイルスプリング24のスプリング復元力によって、プランジャ23が前方へ突出するように付勢されている。なお、プランジャ23の先端部23ａには当接部23ｃが一体に装着されている。
【００２８】
バルブホルダ22の基端部22ａ（図５）に形成された弁収納孔22ｃ（図５）に、チェック弁25とリリーフ弁26とリリーフバルブシート27が順次装着されている。テンショナボディ20の下部に設けられた圧力保持弁収納孔20ｆに圧力保持弁29が、テンショナボディ20の後端から装着されている。テンショナボディ20の上部に設けられたエア抜き弁収納孔20ｈ（図３）の前部から、エア抜き弁30が装着されている。キャップ21の内面とバルブホルダ22の後端の間はオイル貯留室28となっている。オイル貯留室28の周囲は、パッキン嵌装溝20ｄ（図３）に嵌装された環状パッキン20ｅ（図３）で囲まれている。プランジャ23の内面とバルブホルダ22のコイルスプリング保持体22ｄの外面の間は高圧油室31となっている。
【００２９】
図５は、プランジャ収納孔20ａに挿入されるプランジャ23、コイルスプリング24、バルブホルダ22、チェック弁25、リリーフ弁26、リリーフバルブシート27、及びキャップ21の分解図である。コイルスプリング24はプランジャ23の先端部23ａの内面23ｂとバルブホルダ22の段部前端面22ｂとの間に介装される。バルブホルダ22の基端部22ａに形成された弁収納孔22ｃの前部に、チェック弁25の弁ガイド25ａが嵌装される。この弁ガイド25ａにチェック弁コイルスプリング25ｂと球状弁体25ｃが後部から前方に向って順次嵌装される。
【００３０】
上記弁収納孔22ｃの後部に、リリーフ弁26の弁体26ａが摺動可能に嵌装され、リリーフ弁26の弁体26ａの弁室26ｂ内において、オイル貯溜室28内に配置されたリリーフバルブシート27とリリーフ弁26の弁体26ａの先端部26ｃとに、リリーフ弁コイルスプリング26ｄが介装される。オイル貯溜室28は、リリーフバルブシート27の開孔27ａ，リリーフ弁26，チェック弁25およびバルブホルダ22におけるコイルスプリング保持体22ｄの貫通孔22ｆを介して高圧油室31に接続されている。
【００３１】
図３において、プランジャ収納孔20ａに対し、斜右下方に位置して、プランジャ収納孔20ａと平行に圧力保持弁収納孔20ｆが形成され、この圧力保持弁収納孔20ｆに、圧力保持弁29が収納されている。圧力保持弁収納孔20ｆの後端は、環状パッキン20ｅで囲まれたオイル貯溜室28（図４）に開口している。
【００３２】
図６に上記圧力保持弁29の分解状態が示してある。キャップを取り外した状態で、テンショナボディ20の圧力保持弁収納孔20ｆの開口から、圧力保持弁29のスプリング受29ａと、閉塞用コイルスプリング29ｂと弁体29ｃとが順次嵌装される。この弁体29ｃの後方円筒周面29ｄは小径に形成されており、前記閉塞用コイルスプリング29ｂのスプリング復元力によって、図４に図示されているように、弁体29ｃは後方へ付勢されて、弁体29ｃの後方円筒周面29ｄの後端面29ｅがキャップ21の前端面21ｂ（図４）に当接し、バルブホルダ22のリリーフ弁ポート22ｅ（図４、図５）に通ずるテンショナボディ20の連通ポート20ｇ（図４、図６）が閉塞されるようになっている。なお、前記バルブホルダ22に形成されたリリーフ弁ポート22ｅは、基端部22ａの外周面に形成された周方向溝と、その周方向溝の底において周方向へ均等な間隔をなし弁収納孔22ｃの中心に向って形成された複数の連通孔とで構成されている。
【００３３】
図３において、プランジャ収納孔20aに対し斜左上方に、プランジャ収納孔20ａと平行に横断面形状が円形のエア抜き弁収納孔20ｈが形成され、このエア抜き弁収納孔20ｈに、エア抜き弁30が収容されている。エア抜き弁収納孔20ｈの後部は、図４に図示されるように、エア抜き通路30ａを介して高圧油室31に連通している。
【００３４】
図６に上記エア抜き弁30の分解状態が示してある。エア抜き弁収納孔20ｈの前方開口端からエア抜き弁収納孔20ｈ内に弁ボディ30ｂ、コイルスプリング30ｅおよびスプリング受け筒体30ｆが順次嵌装され、このスプリング受け筒体30ｆは、エア抜き弁収納孔20ｈに一体に螺着される。弁ボディ30ｂの周面には、断面略矩形の環状溝30ｃが形成され、その環状溝30ｃに断面略矩形の環状弁体30ｄが嵌装される。高圧油室31内の圧力変動がエア抜き通路30ａを介して弁ボディ30ｂに伝達されると、コイルスプリング30ｅの弾性復元力により弁ボディ30ｂが前後に往復動し、オイル中に含まれている空気がオイルから分離されて、環状溝30ｃと環状弁体30ｄの隙間を経由して、エア抜き弁30の前部開口30ｇ（図４）とテンショナ取付け部６ａのエア排出通路39（図４）から、外部へ放出されるようになっている。
【００３５】
図７は図２のＶＩＩ−ＶＩＩ断面図である。テンショナボディ20の後端面20ｃとキャップ21の凹面21ｃとで構成されたオイル貯溜室28の下部には、テンショナボディ20を後部から前部に向い下方へ傾斜して貫通したテンショナオイル通路32（図３も参照）が設けてある。この通路32は、シリンダヘッド６のテンショナ取付け部６ａに形成されたシリンダヘッドオイル通路33に接続されている。図１に図示されるように、このシリンダヘッドオイル通路33は、シリンダブロック５における図示されないオイル通路を介してクランクケース４のオイル通路34を介してオイルフィルタ35に接続され、オイルフィルタ35はオイル通路36を介してオイルポンプ37の吐出口に接続されており、内燃機関３の運転に連動して稼動状態となるオイルポンプ37により、クランクケース４の底部に貯溜されているオイルがストレーナ38を介してオイルポンプ37に吸入される。オイルポンプ37から吐出されたオイルは、オイル通路36，オイルフィルタ35，オイル通路34，シリンダヘッドオイル通路33およびテンショナオイル通路32を介してテンショナ０のオイル貯溜室28に供給されるようになっている。更に、オイル貯溜室28から、リリーフ弁26の弁室26ｂ、弁孔26ｅ、チェック弁25の弁室25ｅ、開口25ｆ、及びバルブホルダ22の貫通孔22ｆを経て、テンショナの高圧油室31に供給され、プランジャ23が駆動される。
【００３６】
図８は、オイル貯溜室28内の圧力が上昇して、クラッキング圧力を超え、チェック弁25が開弁して、オイルがリリーフ弁26の弁孔26ｅからチェック弁25の弁室25ｅ，開口25ｆおよびバルブホルダ22の貫通孔22ｆを介して高圧油室31に流入し、プランジャ23が前方へ突出した状態を示している。プランジャ23の当接部23ｃがテンショナスリッパ15に当接し、高圧油室31内のオイル圧力によってテンショナスリッパ15（図１）を強く前方へ押し、弛緩側の無端タイミングチェン13が緊張状態となって、無端タイミングチェン13のバタツキが抑制される。
【００３７】
内燃機関３が停止して、オイル貯溜室28内のオイル圧力が低圧の状態では、図４に図示されるように、圧力保持弁29の閉塞用コイルスプリング29ｂのスプリング復元力で圧力保持弁29は閉塞されているが、図８に示されるように、内燃機関３の始動に連動してオイル貯溜室28内のオイル圧力が上昇すると、閉塞用コイルスプリング29ｂのスプリング復元力に打勝って圧力保持弁29の弁体29ｃが前方へ押されて、圧力保持弁29における小径の後方円筒周面29ｄがテンショナボディ20の連通ポート20ｇに接近し、図８に示されるように、この連通ポート20ｇが開口するので、バルブホルダ22のリリーフ弁ポート22ｅにオイルが流入する。
【００３８】
このような状態において、内燃機関３における各燃料室圧力の間欠的な圧力上昇等による駆動スプロケット10の回転トルクの変動でテンショナスリッパ15が後方へ傾いてプランジャ23が後方へ強く押返された状態になると、高圧油室31内のオイル圧力が上昇して、リリーフ弁26の弁体26ａが後方へ移動し、チェック弁25の弁座25ｄ（図５）からリリーフ弁26の先端部26ｃの当接面26ｆ（図５）が離れて、チェック弁25の弁室25ｅ内のオイルは弁座25ｄとリリーフ弁26の先端部26ｃの当接面26ｆとの間から、バルブホルダ22のリリーフ弁ポート22ｅとテンショナボディ20の連通ポート20ｇと圧力保持弁収納孔20ｆとを介してオイル貯溜室28に還流し、無端タイミングチェン13の異常な張力増大が阻止されるとともに、テンショナスリッパ15のバタツキが抑制される。
【００３９】
図６において、テンショナボディ20のプランジャ収納孔20ａは、後部の大径部41と前部の小径部42とからなり、その境界に段差部43が形成されている。図５において、プランジャ23も、後部の大径部44と前部の小径部45を備え、その境界に段差部46が形成されている。プランジャ23はテンショナボディ20に後方から挿入される。高圧油室31の圧力に押されて、プランジャが前方へ突出しプランジャ23の段差部46がプランジャ収納孔20ａの段差部43に当接すると、プランジャ23は前進を止める。即ち、上記両方の段差部は、プランジャ抜け止めのストッパの働きをしている。
【００４０】
第１のリークオイル排出手段：
図９は、図４の隙間部40の部分拡大図である。テンショナボディ20とプランジャ23の間の隙間はプランジャ23が摺動可能な隙間であるが、ガタが生じない程度に微小である。プランジャ23の摺動に伴って、高圧油室31のオイルはこの隙間に入って、段差部43,46に挟まれた大きい隙間の部分49に入る。プランジャ23が前進すると、大きい隙間の部分49のオイルは圧縮される。前部の小径部隙間48からの漏れが少ないと、プランジャ23は前進が阻害される。したがって、下流側の小径部隙間48の断面積を上流側の大径部隙間47の断面積より大きくして、オイルの流出を阻害しないようにしてある。本実施形態においては、プランジャ収納孔20ａ、プランジャ23は共に、流出オイルの流れにおいて、上流側は大径部、下流側は小径部となっている。
【００４１】
上記隙間は微小であるから、プランジャ収納孔20ａの内径及びプランジャ23の外径の加工に当たっては、まず、大径部隙間47の寸法は、必要な寸法となるよう、基準寸法（内径・外径）と加工公差を適切に設定されるものとして、以下に小径部隙間48の寸法の決め方について述べる。即ち、大径部隙間47の寸法が最も大きく出来上がる場合の隙間寸法Ａより、小径部隙間48の寸法が最も小さく出来上がる場合の隙間寸法Ｂの方が大きくなるよう、各部の内径・外径（基準寸法）と加工公差が設定される。即ち、
Ａ＝「プランジャ収納孔大径部41の内径の許容最大値」―「プランジャ大径部44の外径の許容最小値」
Ｂ＝「プランジャ収納孔小径部42の内径の許容最小値」―「プランジャ小径部45の外径の許容最大値」
として、Ａ＜Ｂ  の関係が成立するよう基準寸法（各内径、外径）と加工公差（許容最大値、許容最小値）が設定される。
【００４２】
上記のリークオイル排出手段は、プランジャ収納孔20ａとプランジャ23との間の隙間全体の断面積或いは寸法の精度を管理しようとするものであるが、次に述べるのはプランジャ収納孔20ａの小径部にオイル排出溝51を形成するリークオイル排出手段である。
【００４３】
第２のリークオイル排出手段：
図１０はテンショナボディ20の前面図である。図１１は図１０のＸＩ−ＸＩ断面図である。テンショナボディ20の前面から、プランジャ収納孔20ａの小径部42に加工工具50を当ててオイル排出溝51を形成し、加工工具50の先端がプランジャ収納孔20ａの大径部41に達するまで溝51を形成する。これによって、オイルの排出性を高めることができる。
【００４４】
以上詳述したリークオイル排出手段においては次のような特徴と効果がある。
（１）プランジャ収納孔20ａとプランジャ23との隙間のうち、上流側の大径部隙間47の断面積より、オイルを流出させる下流側の小径部隙間48の断面積を大きくしてある。油圧調整として設定される上流側の隙間面積を小さくし、下流側ではこの隙間より大きくすることにより、油圧調整に作用しない下流側では、オイル排出性を高めることにより、オイル抵抗によるプランジャ23の摺動抵抗を低減して、プランジャ23の動きを円滑にすることができる。
（２）上流側の大径部隙間47の寸法が最も大きく出来上がる場合の隙間寸法より、下流側の小径部隙間48の寸法が最も小さく出来上がる場合の隙間寸法の方が大きくなるよう、プランジャ収納孔20ａとプランジャ23との基準寸法と加工公差を設定して加工を行なう。これによって、隙間の寸法管理を確実にして、下流側のオイル排出性能を高めることができる。
（３）前記テンショナボディ20のプランジャ収納孔小径部42にオイル排出溝51を形成し、その上流端が前記プランジャ収納孔大径部41に到達させてある。これにより、下流側でのオイルの排出性を高めることができる。
（４）プランジャ23は、上流側のプランジャ大径部44と、下流側のプランジャ小径部45とからなるプランジャ段差部46を有し、テンショナボディ20のプランジャ収納孔20ａは、上記プランジャ23の上流側のプランジャ大径部44と対応するプランジャ収納孔大径部41と、上記プランジャの下流側のプランジャ小径部45に対応するプランジャ収納孔小径部42とからなるプランジャ収納孔段差部43を有しており、このプランジャ段差部46が、前記プランジャ収納孔段差部43に係合して、プランジャ23の抜け止め構造をなしている（図９）。前記オイル排出溝51は、前記プランジャ収納孔小径部42に形成され、オイル排出溝51の上流端が前記プランジャ収納孔大径部41に至るよう形成されている。したがって、プランジャ23が前進するときのオイル排出性を向上することができる。
（５）前記オイル排出溝51を下流端側からプランジャ収納孔小径部42に機械加工により形成し、加工工具50の先端がプランジャ収納孔大径部41に至るように加工する（図１１）。
したがって、容易にオイル排出溝51を形成することが出来る。
（６）前記オイル排出溝51は無端タイミングチェーン13の移動方向とプランジャ23の軸線とを含む平面（図１０のＣ−Ｃ面）を避けた位置に配置してある。これは、プランジャ23は無端タイミングチェーン13の移動方向に振動するので、オイル排出溝51が上記無端タイミングチェーン13の移動方向とプランジャ23とを含む平面内に設けられると、振動によって、オイル排出溝51の縁がプランジャ23を傷つける恐れがあるので、これを避けるためである。
（７）油圧テンショナ０を車両に取付けた状態において、オイル排出溝51のオイル排出方向が水平より下向きとなるよう取り付けられる（図１）。これによって、オイルの自重による排出も可能となるので、オイルを良好に排出することが出来る。
（８）前記オイル排出溝51は、テンショナボディ20のプランジャ収納孔20ａの中心線に対して、径方向に対向する位置に対で設けられている（図１０）。オイル排出溝を近接した位置ではなく、対向配置して離すことによって、テンショナボディ20の強度低下を抑えながら、オイルを良好に排出することを可能にするためである。
【符号の説明】
【００４５】
０…油圧テンショナ、13…無端タイミングチェーン、20…テンショナボディ、20ａ…プランジャ収納孔、23…プランジャ、31…高圧油室、40…隙間部（プランジャ収納孔とプランジャの間）、41…プランジャ収納孔大径部、42…プランジャ収納孔小径部、43…プランジャ収納孔段差部、44…プランジャ大径部、45…プランジャ小径部、46…プランジャ段差部、47…大径部隙間（上流側の）、48…小径部隙間（下流側の）、49…大きい隙間の部分、50…加工工具、51…オイル排出溝
【図１】
0005727837.tif 000002
【図２】
0005727837.tif 000003
【図３】
0005727837.tif 000004
【図４】
0005727837.tif 000005
【図５】
0005727837.tif 000006
【図６】
0005727837.tif 000007
【図７】
0005727837.tif 000008
【図８】
0005727837.tif 000009
【図９】
0005727837.tif 000010
【図１０】
0005727837.tif 000011
【図１１】
0005727837.tif 000012